(57)【要約】      （修正有）【課題】植木鉢全表面に植物の植え付けを可能とするために、若しくは花瓶の全表面に植物を挿すことを可能とするために吸水性の材質で覆った三次元立体型植木鉢若しくは三次元立体型花瓶を提供する。【解決手段】三次元立体に於いて、表面又は表面近傍は吸水性の材料から成り、当該三次元立体の全面に植物を植え付けること可能とする植木鉢若しくは植物を挿すことを可能とする花瓶であり、前記吸水性材料がフローラルフォーム、スポンジ、ネット、コットン、繊維若しくは布などにより覆われている。【選択図】図１
0003204012.tif 000002
【実用新案登録請求の範囲】
【請求項１】
三次元立体に於いて、表面又は表面近傍が吸水性の材料から成り、当該三次元立体の全面に植物を植え付けること可能とする植木鉢又は植物を挿すことを可能とする花瓶
【請求項２】
前記吸水性の材質がフローラルフォーム、スポンジ、ネット、コットン、繊維若しくは布であることを特徴とする請求項１記載の三次元立体植木鉢若しくは三次元立体花瓶
【請求項３】
底板と支柱を基本とする台座と前記支柱の側面には時計回り若しくは反時計回りが可能なアームが取り付けられ、前記アームには自転を可能とする前記植木鉢又は花瓶が取り付けられたことを特徴とする請求項１記載の三次元立体植木鉢又は三次元立体花瓶
【考案の詳細な説明】
【技術分野】
【０００１】本考案は、植木鉢又は花瓶の全表面に植物の育成を可能とする三次元立体植木鉢又は三次元立体花瓶に関する。
【背景技術】
【０００２】植木鉢は上面部分が開放され、底面には水抜きのための穴が開けられた構造が一般的であり、形状的には朝顔型、筒型、瓶型、箱型および皿型などがある。
【先行技術文献】
【特許文献】
【０００３】
【特許文献１】登録実用新案公報第３０１２６０号
【０００４】
【考案の概要】
【考案が解決しようとする課題】
【０００５】従来の植木鉢は、上部開口領域に植物の植え付けを行うものでありインテリアおよび植え付け面積の両面で画期的な植木鉢が存在しない。また、花瓶に於いては、植物を挿す場所は上面だけでなく側面に挿すものもあるがインテリア性を重視すると植物を挿す面積は小さくなる。【０００６】特許文献１には、底部が略半球面体状または円筒形を縦割した形状であるとともに底部内側に立設した壁面で囲まれた溝部が形成された鉢本体と、該鉢本体の上方の開口部から着脱自在に鉢本体内部に収納されて前記壁面に係止される網篭と、からなり、前記溝部に小石またはイオン交換樹脂とともに潅水した水が溜まって錘となって鉢全体が傾いても起き上がるように構成したことを特徴とする起き上がり植木鉢が提案されている。【０００７】しかし、前記植木鉢は鉢全体が傾いても起き上がる構造でありインテリア性を謳っているが、植木鉢は従来型のものであるため植木鉢の上部開口領域での植物の植え付けが出来ない。
【課題を解決するための手段】
【０００８】上記課題に鑑み、考案者は誠意工夫の結果、インテリア性を備え、且つ植え付け面積も増加できる植木鉢若しくは植物を挿す面積を増加できる花瓶を見出した。具体的には、三次元立体に於いて、表面又は表面近傍は吸水性の材料から成り、当該三次元立体の全面に植物を植え付けること可能とする植木鉢若しくは植物を挿すことを可能とする花瓶であり、前記吸水性材料がフローラルフォーム、スポンジ、ネット、コットン、繊維若しくは布などにより覆われている。【０００９】第一の実施例として、底板と支柱を基本とする台座と前記支柱の側面には時計回り若しくは反時計回りが可能なアームが取り付けられ、前記アームには自転を可能とする三次元立体植木鉢若しくは三次元立体花瓶である。前記アームの長さを調整することで前記植木鉢若しくは花瓶は公転運動と自転運動を備え、或いは２方向での自転運動を可能とする。
【考案の効果】
【００１０】本考案によれば、三次元立体植木鉢若しくは三次元立体花瓶の全表面に植物を植え付けることが可能となり省スペースで植物の植え付けを増加させることが可能となり、更にインテリアとしての機能も果たすことができる。特に、生け花に於いては前記花瓶を使用すれば同一位置での２方向の自転により前記花瓶全面に挿した植物が観賞できるため華道に於いて新たな流儀も生まれる可能性がある。
【図面の簡単な説明】
【００１１】
【図１】三次元立体植木鉢であり前記植木鉢の形状を球体にした場合であり前記植木鉢が公転と自転を可能とする一例を示す。
【図２】三次元立体植木鉢であり前記植木鉢の形状を球体にした場合であり前記植木鉢が異なる２方向の自転を可能とする一例を示す。
【図３】三次元立体植木鉢を立方体にした場合であり前記植木鉢が異なる２方向の自転を可能とする一例を示す。
【考案を実施するための形態】
【００１２】以下、本考案に係る実施の形態を図面により説明する。
【実施例】
【００１３】図１は、本考案の一実施例である球体型植木鉢を示す。基本構成は、プラスチックス製の底板（１）とプラスチック製の支柱（２Ａ）から成る台座に於いて、前記支柱（２Ａ）の上部に回転可能なプラスチック製の回転軸（３Ａ）が取り付けられ、前記回転軸（３Ａ）の一方にはプラスチック製のアーム（４Ａ）が固定されている。前記アーム（４Ａ）の他端にはプラスチック製の支柱（２Ｂ）が固定され、前記支柱（２Ｂ）の先端付近には回転可能なプラスチック製の回転軸（３Ｂ）が備わり、前記回転軸（３Ｂ）の先端にはスポンジシートで覆ったプラスチック製の球体型植木鉢（１０Ａ）が取り付けてある。【００１４】モーター（７０）の回転軸には歯車（６Ａ）が取り付けられており、前記歯車（６Ａ）を回転させることでベルト（５Ａ）を介して前記回転軸（３Ａ）に取り付けた歯車（６Ｂ）が回転する。これにより前記回転軸（３Ａ）が回転することで前記アーム（４Ａ）が連動して回転する。前記アーム（４Ａ）の回転により前記球体型植木鉢（１０Ａ）が公転する。更に、前記回転軸（３Ａ）には、歯車（６Ｃ）も備わっており前記回転軸（３Ａ）の回転に連動して回転する。【００１５】前記歯車（６Ｃ）は、ベルト（５Ｂ）を介して前記支柱（２Ｂ）に取り付けられたベアリング組み込み式歯車（６Ｄ）を回転させる。同時にベアリング組み込み式歯車（６Ｄ）はウォームギア（７）を回転させる構造となっており前記ウォームギア（７）に取り付けられたシャフト（８）を回転させる。前記シャフト（８）の他端には冠歯車（９）が取り付けられており前記回転軸（３Ｂ）に取り付けた歯車（６Ｅ）を回転させることにより前記回転軸（３Ｂ）が回転し前記球体型植木鉢（１０Ａ）が自転する構造となっている。【００１６】図２は、前記球体型植木鉢（図１）の回転軸（３Ｂ）を回転軸（３Ｃ）に置き換えたものである。前記回転軸（３Ｃ）の長さは、前記球体型植木鉢（１０Ａ）の球の中心が前記アーム（３Ａ）の延長線上と一致するようにすることで前記アーム（３Ａ）が回転しても、前記球体型植木鉢（１０Ａ）は公転にはならず自転となる。一方、前記回転軸（３Ｃ）も自転しているため前記球体型植木鉢（１０Ａ）の回転は２方向の異なる自転となり同一位置に留まることになる。【００１７】図３は、図２に示す球体型植木鉢（１０Ａ）をフローラルフォーム製の立方体植木鉢（１０Ｂ）に入れ替えたものであり前記立方体植木鉢（１０Ｂ）の中心が前記アーム（３Ａ）の延長線上に一致するサイズとしているため前記立方体植木鉢は２方向の異なる自転が可能となる。【００１８】なお、本考案にかかる球体型植木鉢の具体的な構成は、下記の実施形態に限られるものでなく、考案の要旨を逸脱しない範囲で変更可能である。
【産業上の利用可能性】
【００１９】本考案の三次元立体植木鉢若しくは三次元立体花瓶のサイズを大きく、且つ吸水性の材質を木製板やガラス板などですることで絵画などを取り付け観賞用とすることも可能であり、又前記木製板などに留め金を取り付けることで商品のディスプレイ用装置としても使用できる。
【符号の説明】
【００２０】１      底板
２Ａ    支柱
２Ｂ    支柱
３Ａ    回転軸
３Ｂ    回転軸
３Ｃ    回転軸
４Ａ    アーム
５Ａ    ベルト
５Ｂ    ベルト
６Ａ    歯車
６Ｂ    歯車
６Ｃ    歯車
６Ｄ    ベアリング組み込み式歯車
６Ｅ    歯車
７      ウォームギア
８      シャフト
９      冠歯車
１０Ａ  スポンジシートで覆ったプラスチック製の球体型植木鉢
１０Ｂ  フローラルフォーム製の立方体型植木鉢
７０    モーター
【図１】
0003204012.tif 000003
【図２】
0003204012.tif 000004
【図３】
0003204012.tif 000005